(57)【要約】【課題】商品棚に陳列した商品に取り付けられる無線タグを利用して商品の棚卸を可能とする。【解決手段】商品棚１９に陳列される各商品１８にそれぞれ取り付けられた無線タグ１７に記憶されたタグデータを無線を介して読み取る無線タグリーダ１４と、この無線タグリーダ１４を制御するストアコントローラ１２を備える。ストアコントローラ１２は、無線タグリーダ１４によりタグデータの読取が行われる毎に、読み取られたタグデータの点数を計数する計数カウンタ５３２と、計数されたタグデータを記憶するタグデータメモリ５３１と、を有する。さらに、タグデータに基づいて商品棚卸情報を生成するとともに、タッチパネル６４上に表示出力またはプリンタ６５により記録紙に印字出力させる。【選択図】      図１０
2009266126.tif 000002
【特許請求の範囲】
【請求項１】
商品棚に設けられ、この商品棚に陳列されている各商品にそれぞれ取り付けられた無線タグに記憶されているタグデータが無線を介して読み取る無線タグデータ読取手段と、
この無線タグデータ読取手段により前記無線タグの前記タグデータが読み取られる毎に、この読み取られた前記無線タグの前記タグデータの数を計数する計数手段と、
この計数手段により計数された前記無線タグの前記タグデータを記憶する無線タグデータ記憶手段と、
この無線タグデータ記憶手段により記憶された前記タグデータに基づいて商品棚卸情報を生成する商品棚卸情報生成手段と、
この商品棚卸情報生成手段により生成された前記商品棚卸情報を出力する商品棚卸情報出力手段と、
を備えることを特徴とする商品棚卸装置。
【請求項２】
無線タグが取り付けられた商品を陳列する商品棚と、
この商品棚が設置される複数の商品棚陳列場所と、
前記複数の商品棚陳列場所から特定の商品棚陳列場所を選択する商品棚陳列場所選択手段と、
複数の前記商品棚から特定の前記商品棚を選択する商品棚選択手段と、
前記商品棚陳列場所選択手段により選択された前記商品棚陳列場所の特定の前記商品棚を前記商品棚選択手段により選択し、この選択された前記商品棚に陳列された各商品にそれぞれ取り付けられた無線タグに記憶されているタグデータが無線を介して読み取る無線タグデータ読取手段と、
この無線タグデータ読取手段により前記無線タグの前記タグデータが読み取られる毎に、この読み取られた前記無線タグの前記タグデータの数を計数する計数手段と、
この計数手段により計数された当該無線タグの前記タグデータを記憶する無線タグデータ記憶手段と、
この無線タグデータ記憶手段により記憶された前記タグデータに基づいて商品棚卸情報を生成する商品棚卸情報生成手段と、
この商品棚卸情報生成手段により生成された前記商品棚卸情報を出力する商品棚卸情報出力手段と、
を備えることを特徴とする商品棚卸装置。
【請求項３】
複数の前記無線タグデータ読取手段に順次、読み取り指令を行う無線タグデータ読取指令手段を備えたことを特徴とする請求項１または２記載の商品棚卸装置。
【請求項４】
前記商品棚卸情報出力手段は、表示出力手段のタッチパネルであることを特徴とする請求項１または２記載の商品棚卸装置。
【請求項５】
前記商品棚卸情報出力手段は、印字出力手段のプリンタであることを特徴とする請求項１または２記載の商品棚卸装置。
【請求項６】
商品棚卸装置と、この商品棚卸装置に通信ネットワークを介して通信可能に接続される本部ホスト装置とから構成される商品棚卸システムにおいて、
前記商品棚卸装置には、商品棚に設けられ、この商品棚に陳列されている各商品にそれぞれ取り付けられた無線タグからタグデータが無線を介して読み取る無線タグデータ読取手段と、
この無線タグデータ読取手段により前記無線タグの前記タグデータが読み取られる毎に、この読み取られた前記無線タグの前記タグデータの数を計数する計数手段と、
この計数手段により計数された前記無線タグの前記タグデータを記憶する無線タグデータ記憶手段と、
この無線タグデータ記憶手段により記憶された前記タグデータに基づいて商品棚卸情報を生成する商品棚卸情報生成手段と、
この商品棚卸情報生成手段により生成された前記商品棚卸情報を前記本部ホスト装置に送信する送信手段と、を備え、
前記本部ホスト装置は、前記商品棚卸情報を受信する受信手段と、
この受信手段により受信した前記商品棚卸情報を記憶する商品棚卸情報記憶手段と、
前記商品棚卸情報を出力する商品棚卸情報出力手段と、
を備えることを特徴とする商品棚卸システム。
【請求項７】
前記本部ホスト装置は、複数の前記商品棚卸装置から前記商品棚卸情報を受信する受信手段と、
この受信手段により受信した前記商品棚卸情報を記憶する商品棚卸情報記憶手段と、
この商品棚卸情報記憶手段により記憶した複数の前記商品棚卸情報を集計する商品棚卸情報集計手段と、
この商品棚卸情報集計手段により集計された全店舗商品棚卸情報に基づいて全店舗商品棚卸リストを生成する全店舗商品棚卸リスト作成手段と、
この全店舗商品棚卸リスト作成手段により作成された全店舗商品棚卸リストを格納する全店舗商品棚卸リスト格納手段と、
この全店舗商品棚卸リスト格納手段により格納された前記全店舗商品棚卸リストを出力する全店舗商品棚卸リスト出力手段と、
を備えることを特徴とする請求項６記載の商品棚卸システム。
【請求項８】
商品に取り付けられた無線タグに記憶されているタグデータが無線を介して読み取る無線タグデータ読取手段により商品棚卸を行う商品棚卸装置の商品棚卸方法において、
商品棚に陳列される各商品にそれぞれ取り付けられた無線タグのタグデータが無線を介して読み取るステップと、
このタグデータを読み取りステップにより読み取られた当該無線タグの前記タグデータの数を計数するステップと、
このタグデータの数を計数するステップにより計数された当該無線タグの前記タグデータを記憶するステップと、
このタグデータを記憶するステップにより記憶された前記タグデータに基づいて商品棚卸情報を生成するステップと、
この商品棚卸情報を生成するステップにより生成された前記商品棚卸情報を出力するステップと、
とからなることを特徴とする商品棚卸方法。
【請求項９】
商品に取り付けられた無線タグに記憶されているタグデータが無線を介して読み取る無線タグデータ読取手段により商品棚卸を行う商品棚卸装置の商品棚卸方法において、
前記無線タグが取り付けられた商品を陳列する商品棚が設置される複数の商品棚陳列場所から特定の商品棚陳列場所を選択するステップと、
この商品棚陳列場所を選択するステップにより選択された前記商品棚陳列場所の複数の前記商品棚から特定の商品棚を選択するステップと、
この商品棚を選択するステップにより選択された前記商品棚に陳列された各商品にそれぞれ取り付けられた前記無線タグの前記タグデータが無線を介して読み取るステップと、
このタグデータを無線で読み取りステップにより読み取られた当該無線タグの前記タグデータの数を計数するステップと、
このタグデータの数を計数するステップにより計数された当該無線タグの前記タグデータを記憶するステップと、
このタグデータを記憶するステップにより記憶された前記タグデータに基づいて商品棚卸情報を生成するステップと、
この商品棚卸情報を生成するステップにより生成された前記商品棚卸情報を出力するステップと、
とからなることを特徴とする商品棚卸方法。
【請求項１０】
前記商品棚卸装置とネットワークを介して接続される本部ホスト装置からなる商品棚卸システムの商品棚卸方法において、
前記商品棚卸装置は、前記商品棚卸情報を前記本部ホスト装置に送信するステップと、
前記本部ホスト装置は、前記商品棚卸装置から送信された前記商品棚卸情報を受信するステップと、
この受信ステップにより受信した前記商品棚卸情報を商品棚卸情報記憶手段に記憶するステップと、
この商品棚卸情報記憶手段に記憶するステップにより記憶された前記商品棚卸情報を出力するステップと、
からなることを特徴とする請求項９記載の商品棚卸方法。
【請求項１１】
前記商品棚卸装置とネットワークを介して接続される前記本部ホスト装置からなる商品棚卸システムの商品棚卸方法において、
前記本部ホスト装置は、複数の前記商品棚卸装置から前記商品棚卸情報を受信するステップと、
この受信ステップにより受信した複数の前記商品棚卸情報を集計するステップと、
この集計ステップにより集計された全店舗商品棚卸情報に基づいて全店舗商品棚卸リストを作成するステップと、
この作成ステップにより作成された全店舗商品棚卸リストを全店舗商品棚卸リスト格納手段に格納するステップと、
この格納ステップにより格納された前記全店舗商品棚卸リストを出力するステップと、
からなることを特徴とする請求項１０記載の商品棚卸方法。
【発明の詳細な説明】
【技術分野】
【０００１】
本発明は、無線タグを利用して商品棚に陳列されている商品の棚卸を行う商品棚卸装置、商品棚卸システムおよび商品棚卸方法に関する。
【背景技術】
【０００２】
従来、スーパーマーケット等の店舗では、たとえば、月末に各商品の在庫数量を調べ、商品毎にその月の在庫数量と仕入数量と売上数量とから損失有無等をチェックする、いわゆる棚卸作業を定期的に行う必要がある。
【０００３】
また、店舗内やバックヤード等の商品棚等の商品および在庫商品を棚卸し、その棚卸集計データを記録媒体に記録し、その記録媒体の棚卸集計データをストアコントローラに取り込み、在庫計算を行い閉開店処理で棚卸集計データを作成して本部のホストコンピュータに送信して商品棚卸業務を行っていた。
【０００４】
また、物品に脱着自在に装着した荷札であるＩＣタグの識別情報を荷札入出力装置であるタグ読取装置を介し、表示部に物品の一覧情報を表示して管理するようになっている（たとえば、特許文献１参照）。
【特許文献１】特開２００１−２６３０９号公報
【発明の開示】
【発明が解決しようとする課題】
【０００５】
前記特許文献１には、物品に装着されたＩＣタグの識別情報をタグ読取装置により読取り、表示部に物品の一覧情報を表示させることを記載されている。しかし、商品棚卸については、記載されていない。
【０００６】
本発明の目的は、商品棚に陳列された商品のそれぞれに取り付けた無線タグを利用して在庫商品の棚卸を可能にする商品棚卸装置、商品棚卸システムおよび商品棚卸方法を提供しようとするものである。
【課題を解決するための手段】
【０００７】
本発明に係る商品棚卸装置は、商品棚に設けられ、この商品棚に陳列されている各商品にそれぞれ取り付けられた無線タグに記憶されているタグデータが無線を介して読み取る無線タグデータ読取手段と、この無線タグデータ読取手段により前記商品の前記タグデータが読み取られる毎に、この読み取られた前記無線タグの前記タグデータの数を計数する計数手段と、この計数手段により計数された前記無線タグの前記タグデータを記憶する無線タグデータ記憶手段と、この無線タグデータ記憶手段により記憶された前記無線タグの前記タグデータに基づいて商品棚卸情報を生成する商品棚卸情報生成手段と、この商品棚卸情報生成手段により生成された前記商品棚卸情報を出力する商品棚卸情報出力手段と、を備えたものである。
【０００８】
また、本発明に係る商品棚卸システムにおいて、前記商品棚卸装置は、商品棚に設けられ、この商品棚に陳列されている各商品にそれぞれ取り付けられた無線タグに記憶されているタグデータが無線を介して読み取る無線タグデータ読取手段と、この無線タグデータ読取手段により当該無線タグの前記タグデータが読み取られる毎に、この読み取られた前記無線タグの前記タグデータの数を計数する計数手段と、この計数手段により計数され前記無線タグの前記タグデータを記憶する無線タグデータ記憶手段と、この無線タグデータ記憶手段により記憶された前記商品の前記タグデータに基づいて商品棚卸情報を生成する商品棚卸情報生成手段と、この商品棚卸情報生成手段により生成された前記商品棚卸情報を前記本部ホスト装置に送信する送信手段と、を備え、前記本部ホスト装置は、前記商品棚卸情報を受信する受信手段と、この受信手段により受信した前記商品棚卸情報を記憶する商品棚卸情報記憶手段と、前記商品棚卸情報を出力する商品棚卸情報出力手段と、を備えている。
【０００９】
また、本発明に係る商品棚卸方法において、商品棚に陳列される商品に取り付けられた無線タグに記憶されたタグデータが無線を介して読み取るステップと、このタグデータを読み取りステップにより読み取られた前記無線タグの前記タグデータの数を計数するステップと、このタグデータの数を計数するステップにより計数された前記タグデータを記憶するステップと、このタグデータを記憶するステップにより記憶された前記タグデータに基づいて商品棚卸情報を生成するステップと、この商品棚卸情報を生成するステップにより生成された前記商品棚卸情報を出力するステップと、とからなる。
【発明の効果】
【００１０】
本発明によれば、各種の商品にそれぞれ取り付けられた無線タグを利用して商品棚に陳列された商品の棚卸がリアルタイムに可能となる。
【発明を実施するための最良の形態】
【００１１】
以下、本発明の一実施の形態を図面に基づいて説明する。
【００１２】
なお、本実施の形態は、スーパーマーケット等の店舗内およびバックヤード等の商品棚陳列場所に設置した商品棚に陳列されている商品各々に取り付けられた無線タグを利用して商品の棚卸を実行する商品棚卸装置、商品棚卸システムおよび商品棚卸方法に本発明を適用した場合である。
【００１３】
図１は、本実施の形態に係る商品棚卸システム１１を示す模式図である。
【００１４】
図１に示すように、商品棚卸システム１１は、スーパーマーケット等の店舗等に設置されている商品棚卸装置としてのストアコントローラ１２と通信手段としてのＬＡＮ(Local Area Network)１３等により通信可能に無線タグリーダ１４と接続している。また、ストアコントローラ１２と専用回線または公衆回線等のネットワーク１５を介して各店舗を統括する本部に設置された本部ホスト装置であるホストコンピュータ１６と通信可能に接続している。さらに、店舗内やバックヤード等の商品棚陳列場所には、無線タグ１７が取り付けられた各種の商品１８を陳列する商品棚１９が設けられている。
【００１５】
図１では、前記無線タグリーダ１４および前記商品棚１９を１台しか示していないが、実際には複数台が、店舗内やバックヤード等には、多数の商品棚１９に対応して無線タグリーダ１４が設置されている。
【００１６】
また、ホストコンピュータ１６には、複数の店舗に設置されたストアコントローラ１２が通信ネットワーク１５を介して接続可能となっている。
【００１７】
前記無線タグ１７は、ＲＦＩＤ（Radio Frequency Identification）、ＩＣタグ、ＩＤタグ等と呼ばれる非接触通信媒体である。
【００１８】
前記商品棚１９には、各種の商品１８に取り付けられた無線タグ１７の交信用のアンテナ２０が設置されている。
【００１９】
このアンテナ２０には、商品棚１９の全域を前記無線タグ１７との交信可能領域とする電波強度および指向性の向きが定められている。なお、図１では商品棚１９の天板にアンテナ２０が設置されているが、アンテナ２０の取付け位置はこれに限定されるものではない。例えば、背板、底板等、商品棚１９の全域が無線タグ１７との交信可能領域となりえる位置であればよく、あるいは、棚板毎にアンテナ２０を設けてもよい。このアンテナ２０は、前記無線タグリーダ１４の一部として構成されている。
【００２０】
図２は、無線タグ１７の要部構成を示すブロック図である。
【００２１】
図２に示すように、無線タグ１７は、アンテナ４１と、このアンテナ４１に接続されたＩＣチップ４２とからなる。このＩＣチップ４２は、アンテナ４１で受信した変調電波の整流と安定化を行うことによりＩＣチップ４２の各部に供給する電源生成部４３、前記変調電波を復調して制御部４４へ送出する復調部４５、制御部４４から送出されたタグデータを変調してアンテナ４１に送出する変調部４６、復調部４５で復調されたデータの不揮発性の無線タグメモリ４７への書き込みや無線タグメモリ４７から送信データを読み出して変調部４６へ送出する制御部４４とから構成されている。
【００２２】
無線タグメモリ４７には、図３に示すように、当該無線タグ１７の製造段階で製造業者により割り当て設定された固有のタグＩＤが予め記憶されているタグＩＤエリア４７ａと、ユーザが任意のデータを書き込むことができるユーザエリア４７ｂとが形成されている。このユーザエリア４７ｂには、たとえば、当該無線タグ１７が取り付けられる商品１８の識別情報である商品コード、商品名等が記憶されている。
【００２３】
図４は、ストアコントローラ１２の要部構成を示すブロック図である。
【００２４】
ストアコントローラ１２は、制御部本体として各部を制御するＣＰＵ(Central Processing Unit)５１、このＣＰＵ５１が実行する制御プログラムや商品棚卸プログラムなどの固定的データを予め記憶されたＲＯＭ(Read Only Memory)５２、各データの処理に必要な可変的データを記憶するための各種メモリエリアが形成されるＲＡＭ(Random Access Memory)５３、現在の日付および時刻を計時する時計部５４、前記ネットワーク１５を介して前記ホストコンピュータ１６とのデータ通信を制御する通信インターフェース５５、ＨＤＤ（Hard Disk Drive）コントローラ５６、前記無線タグリーダ１４が接続される無線タグリーダインターフェイス５７、キーボードコントローラ５８、タッチパネルコントローラ５９、プリンタコントローラ６０をアドレスバス、データバス等のバスライン６１で接続している。
【００２５】
ＲＡＭ５３には、図５に示すように、タグデータメモリ５３１と、計数カウンタ５３２が形成されている。
【００２６】
タグデータメモリ５３１は、無線タグ１７のタグデータであるタグＩＤと商品の識別情報としての商品コード、商品名等を記憶するエリアである。計数カウンタ５３２は、無線タグ１７の無線タグデータを読み取るカウント値Ｎの数を計数するものである。
【００２７】
ＨＤＤコントローラ５６には、ＨＤＤ６２が接続されている。このＨＤＤ６２には、商品棚卸情報ファイル６２１を備えている。この商品棚卸情報ファイル６２１には、図６に示すデータ構造の商品棚卸情報である商品棚卸情報レコード６２２が保存されている。すなわち商品棚卸情報レコード６２２は、商品コード、商品名、棚卸数量等を含む。ここに、商品棚卸情報ファイル６２１は、商品棚卸情報格納手段を構成する。
【００２８】
キーボードコントローラ５８には、各種キーが配置されたキーボード６３が接続されている。
【００２９】
タッチパネルコントローラ５９には、タッチパネル６４が接続されている。このタッチパネル６４には、商品棚卸開始時には、図７に示すように、画面レイアウトの商品棚卸開始画面Ｇ１が表示される。この商品棚卸開始画面Ｇ１には、商品棚１９の商品棚陳列場所を特定する商品棚陳列場所選択手段６４１として［店舗内］、［バックヤード］および［店舗・バックヤード］と、商品棚１９を特定する商品棚選択手段６４２として［全商品棚］、［商品棚Ｎｏ．］と、商品棚卸を実行させる［実行］６４３および商品棚卸をキャンセルさせる［キャンセル］６４４等の各種アイコンが表示されている。ここに、タッチパネル６４は、商品棚卸開始画面Ｇ１および商品棚卸情報等を表示する表示出力手段として機能する。
【００３０】
プリンタコントローラ６０には、プリンタ６５が接続されている。このプリンタ６５は、図６に示ように、商品棚卸情報としての前記商品棚卸情報レコード６２２を所定の記録紙に印字可能である。ここに、プリンタ６５は、印字出力手段として機能する。
【００３１】
図８は、本部ホスト装置としてのホストコンピュータ１６のハードウェア要部構成を示すブロック図である。
【００３２】
図８に示すように、ホストコンピュータ１６は、制御部本体として各部を制御するＣＰＵ８１、このＣＰＵ８１が実行する制御プログラムなどの固定的データを予め記憶されたＲＯＭ８２、可変的なデータを記憶するための各種メモリエリアが形成されるＲＡＭ８３、日付および時刻を計時する時計部８４、通信ネットワーク１５を介して接続されるストアコントローラ１２とのデータ通信を制御する通信インターフェース８５、ＨＤＤコントローラ８６、キーボードコントローラ８７、表示コントローラ８８、プリンタコントローラ８９をアドレスバス、データバス等のバスライン９０で接続している。そして、ＨＤＤコントローラ８６には、ＨＤＤ９１が接続され、キーボードコントローラ８７には、キーボード９２が接続され、表示コントローラ８８には表示部９３が接続され、プリンタコントローラ８９には、プリンタ９４が接続されている。
【００３３】
ＨＤＤ９１には、商品棚卸情報データベース９１１を備えている。この商品棚卸情報データベース９１１は、図１２に示すように、全店舗商品棚卸リスト１２１を格納する全店舗商品棚卸リスト格納手段として機能する。
【００３４】
図９は、無線タグリーダ１４の要部構成を示すブロック図である。
【００３５】
図９に示すように、無線タグリーダ１４は、ストアコントローラ１２との間でデータ信号を授受するタグインターフェース７１、無線タグ１７への送電電波を変調する変調部７２、変調波を増幅して前記商品棚１９に配置されている前記アンテナ２０から発信させる送信アンプ７３、前記アンテナ２０で受信した電波を増幅する受信アンプ７４、増幅された無線波を復調する復調部７５、ストアコントローラ１２からの指令に応じて無線タグ１７への電波を発信させるとともに、無線タグ１７から受信した電波に含まれるタグデータを解析しストアコントローラ１２に送信する制御部７６等で構成されている。
【００３６】
無線タグリーダ１４は、各商品１８に取り付けられた無線タグ１７に記憶されているタグデータをストアコントローラ１２から商品棚卸プログラムにより所定の順番に読取実行コマンドを送信して読み取ることが可能である。ここに、無線タグリーダ１４は、各商品１８に取り付けられた無線タグ１７に記憶されているタグデータを読み取る無線タグデータ読取手段として機能する。
【００３７】
図１０は、ストアコントローラ１２のＣＰＵ５１が実行する商品棚卸処理の手順の要部を示すフローチャートである。ここでは、たとえば、商品棚卸条件として［店舗・バックヤード］と［全商品棚］の一括棚卸を実行する商品棚卸処理について説明する。
【００３８】
先ず、ＣＰＵ５１は、ＳＴ（ステップ）１１としてタッチパネル６４にたとえば図７に示す画面レアウトの商品棚卸開始画面Ｇ１を表示させる。この商品棚卸開始画面Ｇ１には、商品棚陳列場所を選択する商品棚陳列場所選択手段６４１と、商品棚１９を選択する商品棚選択手段６４２が表示させる。
【００３９】
ＳＴ１２としてタッチパネル６４に表示された、図７に示す商品棚卸開始画面Ｇ１の商品棚陳列場所選択手段６４１の［店舗・バックヤード］と商品棚選択手段６４２の［全商品棚］をタッチ操作され、さらに、ＳＴ１３としてこれらの商品棚卸条件で［実行］６４３がタッチ操作されるのを待機する。なお、［実行］６４３アイコンは、商品棚卸開始画面Ｇ１に表示させて、タッチ操作により入力させるものであってもよいし、キーボード６３に配置された所定のキーを［実行］６４３アイコンとしてキー操作により入力されるものであってもよい。
【００４０】
［実行］６４３のアイコンがタッチ操作により入力を検知すると、ＣＰＵ５１は、ＳＴ１４としてＲＡＭ５３の初期化を行う。この初期化処理により、ＲＡＭ５３のタグデータメモリ５３１がクリアされる。また計数カウンタ５３２のカウンタ値Ｎが「０」にリセットされる。
【００４１】
ＣＰＵ５１は、ＳＴ１５として無線タグインターファース５７を介して店舗内に設置された各商品棚１９の無線タグリーダ１４に対して予め指定された順序に従い、無線タグ１７の読取実行コマンドの発信を指令する。さらに、バックヤードの各商品棚１９の無線タグリーダ１４に対しても無線タグ１７の読取実行コマンドの発信を指令する。
【００４２】
この指令を受けた無線タグリーダ１４は、アンテナ２０から無線タグ読取電波を発信させる。このとき、無線タグ１７の商品棚１９の交信エリア内に無線タグ１７が存在すると、この無線タグ１７の無線タグメモリ４７に記憶されているタグデータが読み取られ、ストアコントローラ１２に送出される。なお、複数の無線タグ１７が交信エリア内に存在する場合には、タグデータが順番に読み取られてストアコントローラ１２に送出される。ここに、［実行］６４３のアイコンは、無線タグデータ読取手段（無線タグリーダ１４）による無線タグ１７の読取を指令する無線タグ読取指令手段を構成する。
【００４３】
無線タグリーダ１４の読取実行コマンドを発信後、ＣＰＵ５１は、ＳＴ１６として無線タグリーダ１４から無線タグインターファース５７を介して無線タグ１７のタグデータが送られてくるのを待機する。
【００４４】
そして、無線タグリーダインターファース５７を介して無線タグ１７のタグデータが入力されたならば（ＳＴ１６−ＹＥＳ）、ＣＰＵ５１は、ＳＴ１７およびＳＴ１８の処理を実行する。すなわちＳＴ１７では、計数カウンタ５３２のカウントＮ値を「１」だけ増加させる（計数手段）。ＳＴ１８では、入力された無線タグ１７のタグデータのタグＩＤ、商品コード、商品名に分割し、それぞれをタグデータメモリ５３１の該当するエリアに記憶する（無線タグデータ記憶手段）。
【００４５】
ＣＰＵ５１は、ＳＴ１９として次の無線タグ１７のタグデータが送られてきているか否かを判断する。そして、次の無線タグ１７のタグデータが送られてきている場合にはＳＴ１７およびＳＴ１８の処理を繰り返し実行する。
【００４６】
その後、ＣＰＵ５１は、次の無線タグ１７のタグデータがない場合には（ＳＴ１９−ＮＯ）、すなわち、読取実行コマンドにより指定した無線タグリーダ１４で商品棚１９について全ての無線タグ１７のタグデータが入力されると、ＳＴ２０として前記タグデータメモリ５３１に記憶された商品の商品コードに基づいて図６に示すように、商品棚卸情報として商品棚卸情報レコード６２２を生成する（商品棚卸情報生成手段）。さらに、生成した商品棚卸情報レコード６２２をＨＤＤ６２の商品棚卸情報ファイル６２１に格納する。
【００４７】
ＣＰＵは、ＳＴ２１として生成された商品棚卸情報レコード６２２をタッチパネル６４上に表示出力させる（商品棚卸情報表示出力手段）。さらに、必要に応じてプリンタ６５により所定の記録紙に印字出力させる（商品棚卸情報印字出力手段）。
【００４８】
ＣＰＵは、ＳＴ２２として商品棚卸情報レコード６２２に自店舗の店舗コードを付けてホストコンピュータ１６に通信ネットワーク１５を介して送信する（商品棚卸情報送信手段）。
【００４９】
本実施の形態の商品棚卸装置においては、［店舗内・バックヤード］と［全商品棚］について商品棚卸を実行したが、［店舗内］または［バックヤード］毎に［全商品棚］または［商品棚Ｎｏ．］を指定して実施することが可能となる。これにより一括棚卸以外の商品棚陳列場所をおよび商品棚Ｎｏを指定して商品棚卸を実施することが可能となる。
【００５０】
図１１には、ホストコンピュータ１６のＣＰＵ８１が実行する商品棚卸処理の手順の要部を示すフローチャートである。
【００５１】
先ず、ＣＰＵ８１は、ＳＴ３１として各店舗のストアコントローラ１２から商品棚卸情報が送信されるのを待機する。
【００５２】
そして、商品棚卸情報を受信する（商品棚卸情報受信手段）と（ＳＴ３１−ＹＥＳ）、ＣＰＵ８１は、ＳＴ３２として受信した店舗コードを含む商品棚卸情報をＲＡＭ８３のメモリエリアに記憶する（商品棚卸情報記憶手段）。
【００５３】
ＳＴ３３として受信した各店舗の商品棚卸情報を集計する（商品棚卸情報集計手段）。そして図１２に示すように、全店舗商品棚卸リスト１２１を作成する（全店舗商品棚卸リスト作成手段）。
【００５４】
ＳＴ３４として全店舗商品棚卸リスト１２１を商品棚卸情報データベース９１１に格納する（全店舗商品棚卸リスト格納手段）。
【００５５】
ＳＴ３５として全店舗商品棚卸リスト１２１を表示部９３の画面に表示出力又はプリンタ９４により所定の記録紙に印字出力する（全店舗商品棚卸リスト出力手段）。
【００５６】
このように、前記ホストコンピュータ１６は、各店舗のストアコントローラ１２からの商品棚卸情報６２１を受信することにより、全店舗の商品コード毎の棚卸数量を確認することが可能となる。
【００５７】
さらに、本実施の形態は、統括する本部での商品の総仕入れ数量と図示しないＰＯＳ端末での販売数量からの在庫商品の数量と商品棚に陳列されている商品数量を比較することにより各種の商品のロス状態を把握することが可能となる。
【００５８】
なお、本実施の形態において、［店舗内・バックヤード］と［全商品棚］について商品棚卸を実行したが、［店舗内］または［バックヤード］毎に［全商品棚］または［商品棚Ｎｏ．］を特定して実施することが可能となる。これにより商品棚陳列場所および商品棚Ｎｏを特定して商品棚卸を実施することが可能となる。
【００５９】
前記実施の形態では、１つの店舗での棚卸業務で発生した棚卸データの処理装置として本発明を説明したが、複数の店舗のストアコントローラ１２をオンラインで接続した本部ホスト装置に本発明の機能を持たせて、複数の店舗での棚卸業務で発生した商品棚卸情報を一元的に処理することで可能となる。
【００６０】
以上説明したように、本発明は前記実施の形態に限定されるものではなく、実施の段階ではその趣旨を逸脱しない範囲で種々に変形することが可能であるのは勿論である。
【図面の簡単な説明】
【００６１】
【図１】本発明の一実施の形態に係る商品棚卸システムの要部構成を示す模式図。
【図２】同実施の形態に係る無線タグの要部構成を示す機能ブロック図。
【図３】同実施の形態に係る無線タグの無線タグ情報メモリの一例を示す模式図。
【図４】同実施の形態に係るストアコントローラの要部構成を示すブロック図。
【図５】同実施の形態に係るストアコントローラのＲＡＭに形成される主要なメモリエリアの一例を示す模式図。
【図６】同実施の形態に係るストアコントローラのＨＤＤに形成される商品棚卸情報の一例を示す模式図。
【図７】同実施の形態に係る商品棚卸開始画面の一例を示す模式図。
【図８】同実施の形態に係るホストコンピュータの要部構成を示すブロック図。
【図９】同実施の形態に係る無線タグリーダの要部構成を示す機能ブロック図。
【図１０】同実施の形態に係るストアコントローラのＣＰＵが実行する動作を示すフローチャート。
【図１１】同実施の形態に係るホストコンピュータのＣＰＵが実行する動作を示すフローチャート。
【図１２】同実施の形態に係るホストコンピュータのＨＤＤに形成される全店舗商品棚卸リストの一例を示す模式図。
【符号の説明】
【００６２】
１１…商品棚卸システム、１２…ストアコントローラ（商品棚卸装置）、１３…ＬＡＮ（通信手段）、１４無線タグリーダ（無線タグデータ読取手段）１５…通信ネットワーク、１６…ホストコンピュータ（本部ホスト装置）、１７…無線タグ、１８…商品、１９…商品棚、５１、８１…ＣＰＵ、５２、８２…ＲＯＭ、５３、８３…ＲＡＭ、５３１…タグデータメモリ、５３２…計数カウンタ、６２１…商品棚卸情報ファイル、９１１…商品棚卸情報データベース（全店舗商品棚卸リスト格納手段）。
【図１】
2009266126.tif 000003
【図２】
2009266126.tif 000004
【図３】
2009266126.tif 000005
【図４】
2009266126.tif 000006
【図５】
2009266126.tif 000007
【図６】
2009266126.tif 000008
【図７】
2009266126.tif 000009
【図８】
2009266126.tif 000010
【図９】
2009266126.tif 000011
【図１０】
2009266126.tif 000012
【図１１】
2009266126.tif 000013
【図１２】
2009266126.tif 000014